(57)【要約】      （修正有）【課題】封筒の中に２重にハガキを入れる等の無駄を省き、ハガキの切手代金を無駄にすることなく、また封筒の内容物と用件をハガキに記載することにより、手紙を挿入する２重の手間を省くことができ、かつ、保管も容易な封筒等を提供する。【解決手段】年賀状、定形ハガキを差し込める透明なビニール袋を通常の定形封筒、封筒、バッグ、ダンボールに貼り付けてそこに差し入れ、ばずれて配送中に落ちないように接着剤で口を止める。【選択図】図１
0003154988.tif 000002
【実用新案登録請求の範囲】
【請求項１】
（１）海外の郵政事業者・日本の（公序良俗違反につき、不掲載）定形ハガキを使用する。（海外でのクリスマスカードの交換、年賀状、暑中見舞い、お祝い、プレゼント）ハガキをセットするための透明な包装用紙の使用を認める。定形の封筒にハガキセット用の透明な袋の貼付けを認め、ハガキとセットで定形郵便物とする。
【考案の詳細な説明】
【技術分野】
【０００１】「本考案は、封筒の中に２重にハガキを入れろ等の無駄を省き、ハガキの切手代金を無駄にすることなく、また封筒の内容物と用件をハガキに記載することにより、手紙を挿入する２重の手間を省くことができるようにするための定形封筒に関する考案である。」
【背景技術】
【０００２】従来の封筒は中身を確認され紛失・盗難を避けるためだと考えられるが、内容物が見えないように作成されている。しかし、例えば個人が年賀状と何かものを送付する際は封筒の中にお年玉付年賀状を入れなければならず、封筒の切手代金と２重払いになっている。また、企業が販促用に配布するものには手紙を挿入しなければならないが、簡単なものなら、ハガキに内容を書けるため手間が省ける。また、受け手側は必要な情報は、ハガキで残せるため、コンパクトに残せる。また、必要のないものは送付する必要はなく省資源にも繋がる。（エコに繋がる。）
【先行技術文献】
【特許文献】
【０００３】通常の定形ハガキ、年賀状
【非特許文献】
【０００４】郵便局ホームページ（海外に送るクリスマスカードのつくり方＆送り方）
【考案の概要】
【考案が解決しようとする課題】
【０００５】例えば個人が年賀状と何かものを送付する際は封筒の中にお年玉付年賀状を入れなければならず、封筒の切手代金と２重払いになっている。また、企業が販促用に配布するものには手紙を挿入しなければならないが、簡単なものなら、ハガキに内容を書けるため手間が省ける。また、受け手側は必要な情報は、ハガキで残せるため。コンパクトに残せる。不要な物は廃棄しているため、ゴミの削減にも繋がる。
【課題を解決するための手段】
【０００６】年賀状、定形ハガキを差し込める透明なビニール袋を通常の定形封筒に貼り付けてそこに差し入れ、はずれて配送中に落ちないようにセロテープ等で口を止める。
【考案の効果】
【０００７】個人にとっては経費削減とハガキに直接用件を書くことができるので、手紙を書く手間の排除、企業にとっては経費削減効果とエコの実践を強調でき、送付物が同時に２種以上まとめてある場合は、ＰＣの設定を変更することにより、１個にまとめることができると考える。
【産業上の利用可能性】
【０００８】（企業）配送物の軽量化による経費削減、アイデアの奇抜性、エコを強調（公序良俗違反につき、不掲載）郵便物の増加による増収（年賀状、プレゼント等）（個人）切手の２重支払い等の経費削減、アイデアの奇抜性
【図１】
0003154988.tif 000003
【手続補正書】
【提出日】平成21年3月21日(2009.3.21)
【手続補正１】
【補正対象書類名】実用新案登録請求の範囲
【補正対象項目名】全文
【補正方法】変更
【補正の内容】
【実用新案登録請求の範囲】
【請求項１】
（１）海外の郵政事業者・日本の（公序良俗違反につき、不掲載）定形ハガキを使用（２）定形の封筒にハガキセット用の透明な袋の貼付けを認める定形郵便物（３）封筒、バッグ及び送付用ダンボールに定形のハガキを使用（４）両面が宛先となった往復用ハガキとなったものを使用以上の構成からなることを特徴とする「ハガキ挿入袋付封筒、バッグ、ダンボール」。
【手続補正２】
【補正対象書類名】明細書
【補正対象項目名】全文
【補正方法】変更
【補正の内容】
【考案の詳細な説明】
【技術分野】
【０００１】「本考案は、封筒の中に２重にハガキを入れろ等の無駄を省き、ハガキの切手代金を無駄にすることなく、また封筒の内容物と用件をハガキに記載することにより、手紙を挿入する２重の手間を省くことができるようにするための定形封筒及び封筒、バッグ、ダンボールに関する考案である。」
【背景技術】
【０００２】従来の封筒は中身を確認され紛失・盗難を避けるためだと考えられるが、内容物が見えないように作成されている。しかし、例えば個人が年賀状と何かものを送付する際は封筒の中にお年玉付年賀状を入れなければならず、封筒の切手代金と２重払いになっている。また、企業が販促用に配布するものには手紙を挿入しなければならないが、簡単なものなら、ハガキに内容を書けるため手間が省ける。また、受け手側は必要な情報は、ハガキで残せるため、コンパクトに残せる。また、必要のないものは送付する必要はなく省資源にも繋がる。また、往復で利用できるため、封筒、バッグ、ダンボールが再利用可能なため、経費削減につながる。（エコに繋がる。）
【先行技術文献】
【特許文献】
【０００３】通常の定形ハガキ、年賀状
【非特許文献】
【０００４】郵便局ホームページ（海外に送るクリスマスカードのつくり方＆送り方）
【考案の概要】
【考案が解決しようとする課題】
【０００５】例えば個人が年賀状と何かものを送付する際は封筒の中にお年玉付年賀状を入れなければならず、封筒の切手代金と２重払いになっている。また、企業が販促用に配布するものには手紙を挿入しなければならないが、簡単なものなら、ハガキに内容を書けるため手間が省ける。また、受け手側は必要な情報は、ハガキで残せるため。コンパクトに残せる。再利用が可能となり、不要な物は廃棄する必要がなくなるため、ゴミの削減にも繋がる。
【課題を解決するための手段】
【０００６】年賀状、定形ハガキを差し込める透明なビニール袋を通常の定形封筒、封筒、バッグ、ダンボールに貼り付けてそこに差し入れ、はずれて配送中に落ちないように接着剤で口を止める。
【考案の効果】
【０００７】個人にとっては経費削減とハガキに直接用件を書くことができるので、手紙を書く手間の排除、企業にとっては経費削減効果とエコの実践を強調でき、送付物が同時に２種以上まとめてある場合は、ＰＣの設定を変更することにより、１個にまとめることができると考える。
【産業上の利用可能性】
【０００８】（企業）配送物の軽量化、再利用による経費削減、アイデアの奇抜性、エコを強調（公序良俗違反につき、不掲載）郵便物の増加による増収（年賀状、プレゼント等）（個人）切手の２重支払い等の経費削減、アイデアの奇抜性
【図面の簡単な説明】
【０００９】
【図１】はハガキ挿入袋付封筒図である。
【手続補正３】
【補正対象書類名】図面
【補正対象項目名】全図
【補正方法】変更
【補正の内容】
【図１】
0003154988.tif 000004
【図２】
0003154988.tif 000005
【図３】
0003154988.tif 000006
【図４】
0003154988.tif 000007
【手続補正書】
【提出日】平成21年6月22日(2009.6.22)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】
「本考案は、封筒の中に2重にハガキを入れる等の無駄を省き、ハガキの切手代金を無駄にすることなく、また封筒の内容物と用件をハガキに記載することにより、手紙を挿入する2重の手間を省くことができるようにするための定形封筒及び封筒、バッグ、ダンボールに関する考案である。」
【背景技術】
【０００２】
従来の封筒は中身を確認され紛失・盗難を避けるためだと考えられるが、内容物が見えないように作成されている。しかし、例えば個人が年賀状と何かものを送付する際は封筒の中にお年玉付年賀状を入れなければならず、封筒の切手代金と2重払いになっている。また、企業が販促用に配布するものには手紙を挿入しなければならないが、簡単なものなら、ハガキに内容を書けるため手間が省ける。また、受け手側は必要な情報は、ハガキで残せるため、コンパクトに残せる。また、必要のないものは送付する必要はなく省資源にも繋がる。また、往復で利用できるため、封筒、バッグ、ダンボールが再利用可能なため、経費削減につながる。（エコに繋がる。）
【先行技術文献】
【特許文献】
【０００３】
通常の定形ハガキ、年賀状
【非特許文献】
【０００４】
郵便局ホームページ（海外に送るクリスマスカードのつくり方＆送り方）
【考案の概要】
【考案が解決しようとする課題】
【０００５】
例えば個人が年賀状と何かものを送付する際は封筒の中にお年玉付年賀状を入れなければならず、封筒の切手代金と2重払いになっている。また、企業が販促用に配布するものには手紙を挿入しなければならないが、簡単なものなら、ハガキに内容を書けるため手間が省ける。また、受け手側は必要な情報は、ハガキで残せるため。コンパクトに残せる。再利用が可能となり、不要な物は廃棄する必要がなくなるため、ゴミの削減にも繋がる。
【課題を解決するための手段】
【０００６】
年賀状、定形ハガキを差し込める透明なビニール袋を通常の定形封筒、封筒、バッグ、ダンボールに貼り付けてそこに差し入れ、はずれて配送中に落ちないように接着剤等で口を止める。
【考案の効果】
【０００７】
個人にとっては経費削減とハガキに直接用件を書くことができるので、手紙を書く手間の排除、企業にとっては経費削減効果とエコの実践を強調でき、送付物が同時に2種以上まとめてある場合は、ＰＣの設定を変更することにより、１個にまとめることができると考える。
【産業上の利用可能性】
【０００８】
（企業）配送物の軽量化、再利用による経費削減、アイデアの奇抜性、エコを強調
（郵便事業会社）郵便物の増加による増収（年賀状、プレゼント等）
（個人）切手の２重支払い等の経費削減、アイデアの奇抜性
【図面の簡単な説明】
【０００９】
【図１】はハガキ挿入袋付封筒図である。（定形封筒の大きさは様々なものがあるので、一例のみの図が、図１である。
【図２】はハガキ挿入袋付封筒図（定形外）内部から差込タイプである。上図は前面図で、下図は封筒内部からハガキの差込口を示す図である。
【図３】はハガキ挿入袋付バッグの一例である。
【図４】はハガキ挿入袋付封筒、バッグ、ダンボールの両面宛名ハガキの一例である。左図は表面、右図は裏面を表わす。通常郵便事業会社は、料金後納郵便には、受付局の印鑑を押さないため、両面宛名にすると表と裏をひっくり返すことにより何度でも使用できる。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003154988.tif 000008
【図２】
0003154988.tif 000009
【図３】
0003154988.tif 000010
【図４】
0003154988.tif 000011
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
ハガキ・送付状をセットするための透明な袋を取り付けた封筒・バッグ・ダンボール